(57)【特許請求の範囲】
【請求項１】
可撓性の基板と、
前記基板上に配置された画素電極と、
前記画素電極上に段差を有するように配置され、光透過が可能に備えられた対向電極と、
前記画素電極と前記対向電極との間に介在され、少なくとも前記対向電極に向かって光を放出する有機発光層と、
前記対向電極上に配置され、無機膜と有機膜とが交互に配置された複数層を備え、前記対向電極に接する最下層に前記段差を埋めこむ有機膜が配置され、前記最下層の上に平坦な無機膜が配置され、前記有機発光層から放出された光が透過する第１透光層と、
前記第１透光層上の前記有機発光層から放出された光の経路上に位置し、第１屈折率を有する第１物質と、第２屈折率を有する第２物質とを含み、前記第１屈折率は、前記第２屈折率より大きく、前記第１物質は、前記第２物質内に複数個の領域が配置された第２透光層と、を備え、前記第２透光層は、
前記第１透光層に接し、粘着物質を含む第１層と、
前記第１層上に配置され、前記第１物質と前記第２物質とを含む第２層と、
前記第２層上に配置され、粘着物質を含む第３層と、
前記第３層上に直接接触するように配置され、位相遅延板と偏光板とを含む光学部材と、を備え、
前記有機発光層と前記第２透光層との距離は、５０μｍ以下であることを特徴とする有機発光表示装置。
【請求項２】
前記第２物質は、粘着物質を含むことを特徴とする請求項１に記載の有機発光表示装置。
【請求項３】
前記対向電極と前記第１透光層との間に配置された保護層をさらに備えることを特徴と
する請求項１に記載の有機発光表示装置。
【請求項４】
前記第１物質の屈折率は、１．５以上であることを特徴とする請求項１に記載の有機発光表示装置。
【請求項５】
前記第１物質のサイズは、０．１μｍないし５μｍであることを特徴とする請求項１に記載の有機発光表示装置。
【請求項６】
前記第１物質は、ジルコニウム（Ｚｒ）またはケイ素（Ｓｉ）を含むことを特徴とする請求項１に記載の有機発光表示装置。
【請求項７】
（ａ）可撓性の基板上に、画素電極、有機発光層及び光透過が可能に備えられ、前記画素電極上に段差を有するように配置された対向電極を順次に形成するステップと、
（ｂ）前記対向電極上に、前記対向電極に接する最下層に前記段差を埋めこむ有機膜が配置され、前記最下層の上に平坦な無機膜が配置されるように、無機膜と有機膜とを交互に形成して複数層を備え、前記有機発光層から放出された光が透過する第１透光層を形成するステップと、
（ｃ）前記第１透光層上の前記有機発光層から放出される光の経路上に、第１屈折率を有する第１物質と、第２屈折率を有する第２物質とを含み、前記第１屈折率は、前記第２屈折率より大きく、前記第１物質は、前記第２物質内に複数個の領域が配置された第２透光層を形成するステップと、を含み、
前記（ｃ）ステップは、前記第２透光層に接し、粘着物質を含む第１層を形成するステップと、前記第１層上に配置され、前記第１物質及び前記第２物質を含む第２層を形成するステップと、前記第２層上に配置され、粘着物質を含む第３層と、前記第３層上に直接接触するように配置され、位相遅延板と偏光板とを含む光学部材を形成するステップと、
を含み、
前記有機発光層と前記第２透光層との距離は、５０μｍ以下であることを特徴とする有機発光表示装置の製造方法。
【請求項８】
前記（ｃ）ステップで、前記第２物質は、粘着物質を含むことを特徴とする請求項７に記載の有機発光表示装置の製造方法。
【請求項９】
前記（ａ）ステップと前記（ｂ）ステップとの間に、保護層を形成するステップをさらに含むことを特徴とする請求項７に記載の有機発光表示装置の製造方法。
【請求項１０】
前記（ｃ）ステップで、前記第１物質の屈折率は、１．５以上であることを特徴とする請求項７に記載の有機発光表示装置の製造方法。
【請求項１１】
前記（ｃ）ステップで、前記第１物質のサイズは、０．１μｍないし５μｍであることを特徴とする請求項７に記載の有機発光表示装置の製造方法。
【請求項１２】
前記（ｃ）ステップで、前記第１物質は、ジルコニウム（Ｚｒ）またはケイ素（Ｓｉ）を含むことを特徴とする請求項７に記載の有機発光表示装置の製造方法。
【発明の詳細な説明】
【技術分野】
【０００１】
本発明は、有機発光表示装置及びその製造方法に関する。
【背景技術】
【０００２】
有機発光表示装置は、正孔注入電極と、電子注入電極と、それらの間に形成されている有機発光層とを備える有機発光素子を備え、正孔注入電極で注入される正孔と、電子注入電極で注入される電子とが有機発光層で結合して生成されたエキシトンが、励起状態から基底状態になりつつ光を発生させる自発光型の表示装置である。
【０００３】
自発光型の表示装置である有機発光表示装置は、別途の光源が不要であるので、低電圧で駆動でき、軽量かつ薄型であり、広い視野角、高いコントラスト及び速い応答速度などの高品位特性によって、次世代の表示装置として注目されている。
【０００４】
しかし、有機発光表示装置は、外部の水分や酸素などにより劣化する特性を有するので、外部の水分や酸素などから有機発光素子を保護するために、有機発光素子を密封する。
【０００５】
最近、有機発光表示装置の薄型化及び／またはフレキシブル化のために、有機発光素子を密封する手段として、複数層の無機膜、または有機膜と無機膜とを含む複数層で構成された薄膜封止(Thin Film Encapsulation: TFE)が利用されている。
【０００６】
しかし、薄膜封止を通じて外部に放出される光の経路の差によって、有機発光表示装置の側面視野角で色ずれ(color shift)が発生するという問題がある。
【発明の概要】
【発明が解決しようとする課題】
【０００７】
本発明の目的は、側面視野角で発生する色ずれを減少させた有機発光表示装置及びその製造方法を提供することである。
【課題を解決するための手段】
【０００８】
本発明の一側面によれば、基板と、基板上に配置された画素電極と、画素電極上に配置され、光透過が可能に備えられた対向電極と、画素電極と対向電極との間に介在され、少なくとも前記対向電極に向かって光を放出する有機発光層と、対向電極上に配置され、有機発光層から放出された光が透過する第１透光層と、第１透光層上の有機発光層から放出された光の経路上に位置し、第１屈折率を有する第１物質と、第２屈折率を有する第２物質とを含み、第１屈折率は、第２屈折率より大きく、第１物質は、第２物質内に複数個の領域が配置された第２透光層と、を備える有機発光表示装置を提供する。
【０００９】
本発明の一特徴によれば、第２透光層上に配置された光学部材をさらに備えてもよい。
【００１０】
本発明の他の特徴によれば、第２物質は、粘着物質を含んでもよい。
【００１１】
本発明のさらに他の特徴によれば、第２透光層は、第１透光層に接し、粘着物質を含む第１層と、第１層上に配置され、第１物質及び第２物質を含む第２層と、第２層上に配置され、粘着物質を含む第３層と、を備えてもよい。
【００１２】
本発明のさらに他の特徴によれば、対向電極と第１透光層との間に配置された保護層をさらに備えてもよい。
【００１３】
本発明のさらに他の特徴によれば、第１物質の屈折率は、１．５以上であってもよい。
【００１４】
本発明のさらに他の特徴によれば、第１物質のサイズは、０．１μｍないし５μｍであってもよい。
【００１５】
本発明のさらに他の特徴によれば、第１物質は、ジルコニウム（Ｚｒ）またはケイ素（Ｓｉ）を含んでもよい。
【００１６】
本発明のさらに他の特徴によれば、有機発光層と第２透光層との距離は、５０μｍ以下であってもよい。
【００１７】
本発明のさらに他の特徴によれば、基板は、可撓性基板であってもよい。
【００１８】
本発明のさらに他の特徴によれば、第１透光層は、無機膜と有機膜とが交互に配置された複数層を備えてもよい。
【００１９】
本発明の他の側面によれば、（ａ）基板上に、画素電極、有機発光層及び光透過が可能に備えられた対向電極を順次に形成するステップと、（ｂ）対向電極上に、有機発光層から放出された光が透過する第１透光層を形成するステップと、（ｃ）第１透光層上の有機発光層から放出される光の経路上に、第１屈折率を有する第１物質と第２屈折率を有する第２物質とを含み、第１屈折率は、第２屈折率より大きく、第１物質は、第２物質内に複数個の領域が配置された第２透光層を形成するステップと、を含む有機発光表示装置の製造方法を提供する。
【００２０】
本発明の一特徴によれば、（ｃ）ステップ後に、第２透光層上に光学部材を形成するステップをさらに含んでもよい。
【００２１】
本発明の他の特徴によれば、（ｃ）ステップで、第２物質は、粘着物質を含んでもよい。
【００２２】
本発明のさらに他の特徴によれば、（ｃ）ステップは、第１透光層に接し、粘着物質を含む第１層を形成するステップと、第１層上に配置され、第１物質と第２物質とを含む第２層を形成するステップと、第２層上に配置され、粘着物質を含む第３層を形成するステップと、を含んでもよい。
【００２３】
本発明のさらに他の特徴によれば、（ａ）ステップと（ｂ）ステップとの間に、保護層を形成するステップをさらに含んでもよい。
【００２４】
本発明のさらに他の特徴によれば、（ｃ）ステップで、第１物質の屈折率は、１．５以上であってもよい。
【００２５】
本発明のさらに他の特徴によれば、（ｃ）ステップで、第１物質のサイズは、０．１μｍないし５μｍであってもよい。
【００２６】
本発明のさらに他の特徴によれば、（ｃ）ステップで、第１物質は、ジルコニウム（Ｚｒ）またはケイ素（Ｓｉ）を含んでもよい。
【００２７】
本発明のさらに他の特徴によれば、有機発光層と第２透光層との距離は、５０μｍ以下であってもよい。
【００２８】
本発明のさらに他の特徴によれば、基板は、可撓性基板であってもよい。
【００２９】
本発明のさらに他の特徴によれば、（ｂ）ステップで、無機膜と有機膜とを交互に配置して複数層を備える第１透光層を形成するステップを含んでもよい。
【発明の効果】
【００３０】
本発明によれば、第１透光層上に第２透光層を配置させることで、側面視野角で発生する色ずれを減少させることができる。
【００３１】
また、取り出される光の効率を向上させることができる。
【００３２】
また、有機発光表示装置により具現される画像の画質を改善することができる。
【図面の簡単な説明】
【００３３】
【図１】本発明の一実施形態による有機発光表示装置を概略的に示す断面図である。
【図２】図１の有機発光表示装置の一画素領域を概略的に示す断面図である。
【図３】図１の有機発光表示装置の製造方法を順次に示す断面図である。
【図４】図１の有機発光表示装置の製造方法を順次に示す断面図である。
【図５】図１の有機発光表示装置の製造方法を順次に示す断面図である。
【図６】図１の有機発光表示装置の製造方法を順次に示す断面図である。
【図７】本発明の他の実施形態による有機発光表示装置を概略的に示す断面図である。
【図８】本発明のさらに他の実施形態による有機発光表示装置を概略的に示す断面図である。
【図９】一実施形態による有機発光表示装置から放出される光の経路を概略的に示す概念図である。
【図１０】比較例による有機発光表示装置から放出される光の経路を概略的に示す概念図である。
【発明を実施するための形態】
【００３４】
以下、添付された図面を参照して、本発明の望ましい実施形態についてより詳細に説明する。
【００３５】
図１は、本発明の一実施形態による有機発光表示装置１００を概略的に示す断面図であり、図２は、図１の有機発光表示装置１００の一画素領域を概略的に示す断面図である。
【００３６】
図１及び図２を参照すれば、一実施形態による有機発光表示装置１００は、基板１２０と、基板上に配置された画素電極１４１と、画素電極１４１上に配置され、光透過が可能に備えられた対向電極１４３と、画素電極１４１と対向電極１４３との間に介在され、対向電極１４３に向かって光を放出する有機発光層１４２を備える有機発光素子(Organic Light-Emitting Device: OLED)１４０と、対向電極１４３上に配置され、有機発光層１４２から放出された光が透過する第１透光層１５０と、第１透光層１５０上の有機発光層１４２から放出された光の経路上に位置し、第１屈折率を有する第１物質１６１と、第２屈折率を有する第２物質１６２とを含み、第１屈折率は、第２屈折率より大きく、第１物質１６１は、第２物質１６２内に複数個の領域が配置された第２透光層１６０と、を備える。
【００３７】
基板１２０は、可撓性基板であり、ポリエチレンエーテルフタレート、ポリエチレンナフタレート、ポリカーボネート、ポリアリレート、ポリエーテルイミド、ポリエーテルスルホン及びポリイミドのように、耐熱性及び耐久性に優れたプラスチックで構成される。しかし、本発明は、これらに限定されず、基板１２０は、金属やガラスなど多様な素材で構成されてもよい。
【００３８】
基板１２０上には、素子／配線層１３０が配置され、素子／配線層１３０には、有機発光素子１４０を駆動させる駆動薄膜トランジスタＴＦＴ、スイッチング薄膜トランジスタ（図示せず）、キャパシタ、及び前記薄膜トランジスタやキャパシタに連結される配線（図示せず）が含まれる。
【００３９】
駆動薄膜トランジスタは、活性層１３１、ゲート電極１３３、ソース電極及びドレイン電極１３５ａ，１３５ｂを備える。
【００４０】
基板１２０と素子／配線層１３０との間には、水分や酸素のような外部の異物が基板１２０を透過して、有機発光素子１４０に浸透することを防止するためのバリヤ膜（図示せず）がさらに備えられる。
【００４１】
素子／配線層１３０上には、有機発光素子１４０が配置される。有機発光素子１４０は、画素電極１４１と、画素電極１４１上に配置された有機発光層１４２と、有機発光層１４２上に形成された対向電極１４３とを備える。
【００４２】
本実施形態において、画素電極１４１は、アノードであり、対向電極１４３は、カソードである。しかし、本発明は、これに限定されず、有機発光表示装置１００の駆動方法によって、画素電極１４１がカソードであり、対向電極１４３がアノードであってもよい。画素電極１４１及び対向電極１４３から、それぞれ正孔と電子とが有機発光層１４２の内部に注入される。注入された正孔と電子とが結合したエキシトンが、励起状態から基底状態になりつつ光を放出する。
【００４３】
画素電極１４１は、素子／配線層１３０に形成された駆動薄膜トランジスタと電気的に連結される。
【００４４】
本実施形態では、有機発光素子１４０が、駆動薄膜トランジスタが配置された素子／配線層１３０上に配置された構造について記載しているが、本発明は、これに限定されず、有機発光素子の画素電極１４１が薄膜トランジスタの活性層１３１と同じ層に形成された構造、または画素電極１４１が薄膜トランジスタのゲート電極１３３と同じ層に形成された構造、または画素電極１４１がソース電極及びドレイン電極１３５ａ，１３５ｂと同じ層に形成された構造など多様な形態に変形可能である。
【００４５】
また、本実施形態において、駆動薄膜トランジスタは、ゲート電極１３３が活性層１３１上に配置されるが、本発明は、これに限定されず、ゲート電極１３３が活性層１３１下に配置されてもよい。
【００４６】
本実施形態の有機発光素子１４０に備えられた画素電極１４１は、反射電極であり、Ａｇ，Ｍｇ，Ａｌ，Ｐｔ，Ｐｄ，Ａｕ，Ｎｉ，Ｎｄ，Ｉｒ，Ｃｒ及びそれらの化合物などで形成された反射膜と、反射膜上に形成された透明または半透明の電極層とを備える。
【００４７】
前記透明または半透明の電極層は、ＩＴＯ(Indium Tin Oxide)、ＩＺＯ(Indium Zinc Oxide)、ＺｎＯ(Zinc Oxide)、Ｉｎ２Ｏ３(Indium Oxide)、ＩＧＯ(Indium Gallium Oxide)及びＡＺＯ(Aluminum Zinc Oxide)を含むグループから選択された少なくとも一つ以上を含む。
【００４８】
画素電極１４１と対向して配置された対向電極１４３は、透明または半透明の電極であり、Ｌｉ，Ｃａ，ＬｉＦ／Ｃａ，ＬｉＦ／Ａｌ，Ａｌ，Ａｇ，Ｍｇ及びそれらの化合物を含む仕事関数の小さい金属薄膜で形成される。また、金属薄膜上に、ＩＴＯ，ＩＺＯ，ＺｎＯまたはＩｎ２Ｏ３などの透明電極形成用の物質で補助電極層やバス電極をさらに形成する。
【００４９】
したがって、対向電極１４３は、有機発光層１４２から放出された光を透過させる。
【００５０】
画素電極１４１と対向電極１４３との間には、有機発光層１４２が配置され、有機発光層１４２は、低分子有機物または高分子有機物である。
【００５１】
画素電極１４１と対向電極１４３との間には、有機発光層１４２以外に、ホール輸送層(Hole Transport Layer: HTL)、ホール注入層(Hole Injection Layer: HIL)、電子輸送層(Electron Transport Layer: ETL)及び電子注入層(Electron Injection Layer: EIL)のような中間層が選択的に配置される。
【００５２】
有機発光層１４２から放出される光は、直接的にまたは反射電極で構成された画素電極１４１により反射されて、対向電極１４３側に放出される前面発光型である。
【００５３】
対向電極１４３上には、第１透光層１５０が配置され、第１透光層１５０は、無機膜１５１と有機膜１５２とが交互に配置された複数層を備える。
【００５４】
本実施形態において、基板１２０は、可撓性基板で構成され、第１透光層１５０は、無機膜１５１と有機膜１５２とを含む薄膜で構成されることで、有機発光表示装置１００の可撓性及び薄型化を容易に具現できる。また、第１透光層１５０は、有機発光素子１４０を直接的に覆うように配置され、有機発光素子１４０を外部から密封させて保護する。この時、第１透光層１５０と有機発光素子１４０との間には、保護層（図示せず）のような別途の層がさらに備えられるが、ガラス基板による密封手段で要求される充填材などは要しない。
【００５５】
無機膜１５１は、金属酸化物、金属窒化物、金属炭化物及びそれらの化合物で構成され、例えば、アルミニウム酸化物であり、その他シリコン酸化物またはシリコン窒化物などである。無機膜１５１は、外部の水分及び／または酸素などが有機発光素子１４０に浸透することを抑制する機能を行う。
【００５６】
有機膜１５２は、エポキシ、アクリレートまたはウレタンアクリレートのうちいずれか一つを含み、有機発光表示装置１００の薄型化のために、単量体で構成される。有機膜１５２は、無機膜１５１の内部ストレスを緩和するか、または無機膜１５１の欠陥を補完して平坦化する機能を行う。
【００５７】
この時、外部の水分及び／または酸素の浸透を効果的に遮断するために、無機膜１５１は、第１透光層１５０の最外側に配置される。
【００５８】
本実施形態において、無機膜１５１は、三層、有機膜１５２は、二層積層された場合を例示しているが、本発明は、これに限定されない。すなわち、無機膜１５１と有機膜１５２とが交互に積層される回数には制限がない。
【００５９】
第１透光層１５０上には、第１物質１６１と第２物質１６２とを含む第２透光層１６０が配置される。第１物質１６１は、第１屈折率を有し、第２物質１６２は、第２屈折率を有し、第１屈折率は、第２屈折率より大きい値を有する。
【００６０】
第２物質１６２は、樹脂で構成され、一般的に、樹脂は、１．５以下の屈折率を有する。例えば、第２物質１６２は、アクリル樹脂で構成され、アクリル樹脂の屈折率は、約１．４９である。
【００６１】
この時、第２透光層１６０に入射される光が第１物質１６１により効果的に散乱されるためには、第１物質１６１の屈折率は、第２屈折率より大きくなければならないので、第１物質１６１の屈折率は、１．５以上であり、第２物質１６２が高屈折樹脂で構成される場合、第１物質１６１は、２．０以上の屈折率を有することが望ましい。
【００６２】
前記第１物質１６１は、第２物質１６２内に複数個の領域が配置され、球形である。換言すると、第２物質１６２内に第１物質１６１からなる複数個の球、すなわち球形の領域が配置されている。また、第１物質１６１は、ジルコニウム（Ｚｒ）またはケイ素（Ｓｉ）などを含み、直径が０．１μｍないし５μｍである。
【００６３】
前記第２物質１６２は、粘着物質を含む。粘着物質は、透明な素材のポリマーであり、例えば、アクリル系ポリマー、シリコン系ポリマー、ポリエステル、ポリウレタン、ポリアミド、ポリエーテル、フッ素系またはゴム系などのポリマーを含む。
【００６４】
第１透光層１５０は、薄い薄膜封止として形成され、この時、第１透光層１５０の下部に配置された有機発光層１４２と、第１透光層１５０の上部に配置された第２透光層１６０との距離は、５０μｍ以下である。有機発光層１４２と第１透光層１５０との距離が５０μｍを超える場合、有機発光表示装置１００の画面がぼやける現象が発生して、画像の画質を阻害する。これについては後述する。
【００６５】
有機発光層１４２から放出される光は、直接的にまたは画素電極１４１により反射されて、第１物質１６１と第２物質１６２とを含む第２透光層１６０に入射する。この時、第２物質１６２に比べて屈折率が大きく、５μｍ以下のサイズを有する第１物質１６１により、第２透光層１６０に入射される光は、進行方向が変わり、多様な角度で外部に放出される。
【００６６】
有機発光層１４２から放出される光は、方向性がなく、相異なる光路に沿って進む。したがって、有機発光表示装置１００の正面では、所望の色純度を有する光が放出されるが、側面視野角では色ずれが発生する。
【００６７】
しかし、本実施形態では、相異なる光路に沿って進んだ光が第２透光層１６０に入射し、第２透光層１６０に入射された光は、相異なる角度で外部に放出されるので、相異なる光路に沿って進んだ光が正面及び側面で互いに混じる。
【００６８】
したがって、正面と側面とでの色座標の差、すなわち、側面視野角での色ずれを減少させることができる。
【００６９】
また、第１透光層１５０の第２透光層１６０と接する最外郭層には、外部の水部及び／または酸素を効果的に遮断するために、無機膜１５１が配置され、この場合、無機膜１５１が、第２透光層１６０に含まれた第２物質１６２より屈折率が大きい。
【００７０】
この場合、第２透光層１６０に入射される光の入射角が一定の角度以上である場合、全反射が発生して、取り出される光の効率を低下させる。しかし、本実施形態の第２透光層１６０は、屈折率の大きい第１物質１６１が第２物質１６２に含まれているので、光が全反射して外部に放出されない確率を減少させて、光の効率を向上させる。
【００７１】
第２透光層１６０上には、光学部材１７０が配置される。光学部材１７０は、位相遅延板１７１と偏光板１７２とを備え、位相遅延板１７１は、１／４波長板（λ／４  ｐｌａｔｅ）である。
【００７２】
本実施形態の光学部材１７０は、外光の反射を抑制して、有機発光表示装置１００の視認性とコントラストとを向上させる役割を果たしている。
【００７３】
下記表１ないし表４は、一実施形態による有機発光表示装置１００において、白色（Ｗ）、赤色（Ｒ）、緑色（Ｇ）及び青色（Ｂ）で、第２透光層１６０のヘイズ値、すなわち、第２物質１６２内に含まれた第１物質１６１の程度に対する輝度比、及びｘ軸とｙ軸とに対する色座標値の変化量を表す。
【００７４】
輝度比は、正面から放出される光の輝度値と、正面に対して側面に６０°傾いた状態に放出される光の輝度値との比を百分率で表した値であり、△ｘ、△ｙは、正面から放出される光の色座標値と、正面に対してｘ軸またはｙ軸に６０°傾いた状態で放出される光の色座標値との変化量を表す。
【表１】
0006342609.tif 000002
【表２】
0006342609.tif 000003
【表３】
0006342609.tif 000004
【表４】
0006342609.tif 000005
【００７５】
表１及び表４を参照すれば、白色（Ｗ）の場合、ヘイズが０％である場合に比べて、ヘイズが８０％である場合に輝度比が増加し、正面に対する側面での色座標値の変化量、すなわち、色ずれが減少したことを確認できる。
【００７６】
すなわち、第２物質１６２内に含まれる第１物質１６１の量が増加するにつれて、有機発光表示装置１００の輝度が向上し、側面での色ずれが減少する。
【００７７】
以下、本発明の一実施形態による有機発光表示装置１００の製造方法について説明する。
【００７８】
図３ないし図６は、図１の有機発光表示装置１００の製造方法を順次に示す断面図である。
【００７９】
図３を参照すれば、基板１２０上に、素子／配線層１３０と、画素電極１４１、有機発光層１４２及び対向電極１４３を備える有機発光素子１４０とを形成する。
【００８０】
基板１２０は、可撓性基板であり、可撓性基板は、可撓性基板を支持するガラスなどで構成された支持基板（図示せず）上に配置される。支持基板（図示せず）は、あらゆる工程が終わった後、または工程中に除去される。
【００８１】
基板１２０は、前述したように、耐熱性及び耐久性に優れたプラスチックで構成される。
【００８２】
基板１２０上には、バリヤ膜（図示せず）がさらに備えられる。バリヤ膜（図示せず）は、無機膜及び／または有機膜で構成され、外部の異物が基板１２０を透過して、素子／配線層１３０及び有機発光素子１４０に浸透することを防止する役割を果たしている。
【００８３】
素子／配線層１３０は、有機発光素子１４０を駆動させる駆動薄膜トランジスタ（図２）、キャパシタ（図示せず）及び配線（図示せず）を備える。
【００８４】
素子／配線層１３０上に、画素電極１４１、有機発光層１４２及び対向電極１４３を順次に形成する。
【００８５】
画素電極１４１は、反射電極であり、対向電極１４３は、透明または半透明の電極である。したがって、有機発光層１４２で発生した光は、対向電極１４３の方向に直接的に、または画素電極１４１により反射されて放出される。
【００８６】
この時、対向電極１４３を半透明電極として形成して、画素電極１４１と対向電極１４３とによる共振構造を形成することも可能である。
【００８７】
有機発光層１４２は、低分子有機物または高分子有機物であり、画素電極１４１と対向電極１４３との間には、有機発光層１４２以外に、前述したような中間層が選択的に形成される。
【００８８】
本実施形態では、有機発光素子１４０が素子／配線層１３０上に形成された場合を例示しているが、本発明は、これに限定されず、素子／配線層１３０と有機発光素子１４０とは同じ層に形成されてもよい。
【００８９】
図４を参照すれば、有機発光素子１４０上に、無機膜１５１と有機膜１５２とを交互に形成することで、複数層を備える第１透光層１５０を形成する。
【００９０】
本実施形態において、第１透光層１５０の対向電極１４３と接する最下層及び最上層には、無機膜１５１を形成し、無機膜１５１は、三層、有機膜１５２は、二層を形成した場合を例示しているが、本発明は、これに限定されず、無機膜１５１と有機膜１５２との形成手順や、無機膜１５１と有機膜１５２とが交互に形成される回数には制限がない。
【００９１】
図５を参照すれば、第１透光層１５０上に、第１物質１６１と第２物質１６２とを含む第２透光層１６０を形成する。
【００９２】
第２透光層１６０に含まれた第１物質１６１は、第１屈折率を有し、第２物質１６２は、第２屈折率を有し、第１屈折率は、第２屈折率より大きい値を有する。この時、第１屈折率は、１．５以上であり、望ましくは、２．０以上である。
【００９３】
前記第１物質１６１は、第２物質１６２内に複数個の領域が配置され、球形である。また、第１物質１６１は、ジルコニウム（Ｚｒ）またはケイ素（Ｓｉ）などを含み、直径が０．１μｍないし５μｍである。
【００９４】
前記第２物質１６２は、粘着物質を含む。粘着物質は、透明な素材のポリマーである。
【００９５】
図６を参照すれば、第２透光層１６０上に、位相遅延板１７１と偏光板１７２とを順次に形成して、光学部材１７０を形成する。
【００９６】
この時、光学部材１７０は、外光の反射を抑制して、有機発光表示装置１００の視認性とコントラストとを向上させる。
【００９７】
図７は、本発明の他の実施形態による有機発光表示装置２００を概略的に示す断面図である。
【００９８】
以下、図１及び図２の実施形態による有機発光表示装置１００との相違点を中心に、本実施形態による有機発光表示装置２００について説明する。
【００９９】
図７を参照すれば、他の構成は、図１及び図２の実施形態による有機発光表示装置１００と同じであり、第２透光層２６０の構成に差がある。
【０１００】
第２透光層２６０は、第１透光層１５０に接し、粘着物質を含む第１層２６３と、第１層２６３上に配置され、第１物質２６１及び第２物質２６２を含む第２層２６４と、第２層２６４上に配置され、粘着物質を含む第３層２６５とを備える。
【０１０１】
第２層２６４に含まれた第１物質２６１は、ジルコニウム（Ｚｒ）またはケイ素（Ｓｉ）などを含み、直径が０．１μｍないし５μｍであり、第２物質２６２は、透明な有機物である。この時、第１物質２６１の屈折率は、第２物質２６２の屈折率より大きい。
【０１０２】
第１層２６３は、第１透光層１５０と第２層２６４との間に配置され、粘着物質を含む。第１層２６３は、第１透光層１５０と第２層２６４とを接着させる役割を果たし、透明な素材のポリマーである。
【０１０３】
第３層２６５は、第２層２６４と光学部材１７０との間に配置され、粘着物質を含む。第３層２６５は、第２層２６４と光学部材１７０とを接着させる役割を果たし、透明な素材のポリマーである。この時、第１層２６３と第３層２６５とは、同じ物質で構成されても、異なる物質で構成されてもよい。
【０１０４】
他の構成は、図１及び図２の実施形態による有機発光表示装置１００と同じであるので、その説明を省略する。
【０１０５】
図８は、本発明のさらに他の実施形態による有機発光表示装置３００を概略的に示す断面図である。
【０１０６】
図８を参照すれば、他の構成は、図１及び図２の実施形態による有機発光表示装置１００と同じであり、第１透光層１５０の有機発光素子１４０に接する最下層に有機膜１５２が配置されるという差がある。
【０１０７】
有機発光素子１４０は、複数の薄膜を備えるので、表面が平坦でない。この場合、光の特性が低下し、第１透光層１５０との接着力が低下する。
【０１０８】
本実施形態では、有機発光素子１４０と接する第１透光層１５０の最下層に有機膜１５２を配置させることで、有機発光素子１４０の表面を平坦化し、有機発光素子１４０と第１透光層１５０との接着力を向上させる。
【０１０９】
他の構成は、図１及び図２の実施形態による有機発光表示装置１００と同じであるので、その説明を省略する。
【０１１０】
本発明の実施形態による有機発光表示装置１００，２００，３００は、有機発光素子１４０と第１透光層１５０とが直接的に接するように構成されるが、本発明は、これに限定されず、有機発光素子１４０と第１透光層１５０との間に別途の層が配置されてもよい。
【０１１１】
すなわち、有機発光素子１４０と第１透光層１５０との間には、有機発光素子１４０を保護するための紫外線遮断層（図示せず）や、キャッピング層（図示せず）のような保護層（図示せず）がさらに配置されてもよい。
【０１１２】
図９は、一実施形態による有機発光表示装置１００から放出される光の経路を概略的に示す概念図であり、図１０は、比較例による有機発光表示装置１００′から放出される光の経路を概略的に示す概念図である。
【０１１３】
図９及び図１０では、説明の便宜上、隣接する層の屈折率の差による光の屈折は省略する。また、図９及び図１０の実線は、有機発光素子１４０，１４０′から放出される光の経路を表し、点線は、外部に放出された光の視角の延長線を表す。
【０１１４】
図１０の有機発光表示装置１００′は、有機発光素子１４０′と第２透光層１６０′との間に、薄膜で構成された第１透光層１５０より厚さが大きい密封層１５０′が配置される。この時、密封層１５０′は、ガラス基板である。
【０１１５】
前記密封層１５０′の場合、図９の複数個の薄膜で構成された第１透光層１５０に比べてはるかに厚く、一般的に有機発光素子１４０′と密封層１５０′とは互いに接していないので、有機発光素子１４０′と、密封層１５０′上に配置された第２透光層１６０′との距離は、図９の有機発光素子１４０と第２透光層１６０との距離に比べてはるかに大きい値を有する。
【０１１６】
したがって、有機発光素子１４０′から放出された光が第２透光層１６０′に達するまでの光路が長くなるので、第２透光層１６０′で進む方向が変わり、外部に放出される光の結像位置Ｐ′が、有機発光素子１４０′が配置された領域、すなわち、一画素領域を外れる。すなわち、外部で観察した時、有機発光表示装置１００′の画面がぼやける現象が発生して、画像の画質が低下する。
【０１１７】
しかし、図９の有機発光表示装置１００は、第１透光層１５０が薄膜で構成されるので、厚さが薄く、有機発光素子１４０と第２透光層１６０との距離は、図１０に比べて非常に小さい。
【０１１８】
したがって、有機発光素子１４０から放出された光が、第２透光層１６０によって方向が変わっても、外部に放出される光の結像位置Ｐは、有機発光素子１４０が配置された領域、すなわち、一画素領域を外れない。
【０１１９】
したがって、画面がぼやける現象を防止するために、有機発光層と第２透光層との距離は、一定の値以下に制限することが望ましく、一実施形態による有機発光表示装置１００の有機発光素子１４０と第２透光層１６０との距離は、５０μｍ以下である。
【０１２０】
図面に示した構成要素は、説明の便宜上、拡大または縮小して示されるので、図面に示した構成要素のサイズや形状に本発明が拘束されるものではなく、当業者ならば、これから多様な変形及び均等な他の実施形態が可能であるという点を理解できるであろう。したがって、本発明の真の技術的保護範囲は、特許請求の範囲の技術的思想により決まらねばならない。
【産業上の利用可能性】
【０１２１】
本発明は、例えば、表示装置関連の技術分野に適用可能である。
【符号の説明】
【０１２２】
１００    有機発光表示装置
１２０    基板
１３０    素子／配線層
１３１    活性層
１３３    ゲート電極
１３５ａ    ソース電極
１３５ｂ    ドレイン電極
１４０    有機発光素子
１４１    画素電極
１４２    有機発光層
１４３    対向電極
１５０    第１透光層
１５１    無機膜
１５２    有機膜
１６０    第２透光層
１６１    第１物質
１６２    第２物質
１７０    光学部材
１７１    位相遅延板
１７２    偏光板
【図１】
0006342609.tif 000006
【図２】
0006342609.tif 000007
【図３】
0006342609.tif 000008
【図４】
0006342609.tif 000009
【図５】
0006342609.tif 000010
【図６】
0006342609.tif 000011
【図７】
0006342609.tif 000012
【図８】
0006342609.tif 000013
【図９】
0006342609.tif 000014
【図１０】
0006342609.tif 000015